(57)【要約】【課題】装飾体の交換を可能にする遊技機を提供することを目的とするものである。【解決手段】パチンコ機においては、絵柄が付与されたシート材１７０及び基体１６９が本体枠に搭載されている。また、シート材１７０の前面には前面体１７１が設けられており、前面体１７１の前面側には遊技領域が設けられている。遊技者により遊技球発射ハンドルが操作されると、遊技球が遊技領域に向けて発射される。前面体１７１は透明又は半透明に形成されており、シート材１７０に付与された絵柄を遊技機前方から視認可能としている。また、前面体１７１と基体１６９とに挟まれるようにしてシート材１７０が設けられており、シート材１７０を交換することが可能となっている。【選択図】      図１４
2014221209.tif 000002
【特許請求の範囲】
【請求項１】
前面側に遊技球が流れ落ちる遊技領域が形成されるとともに、少なくとも一部が透明又は半透明に形成された前面体と、
前記前面体の背面側に設けられた基体と、
前記前面体及び基体に挟まれた位置に配置されるとともに、単独で又は前記基体とともに前記前面体から取り外し可能に設けられ、前記前面体を通して遊技機前方から視認可能な装飾体と、
を備えていることを特徴とする遊技機。
【発明の詳細な説明】
【技術分野】
【０００１】
本発明は、遊技機に関するものである。
【背景技術】
【０００２】
遊技機の一種であるパチンコ機には、遊技領域が形成された遊技盤を枠体に搭載してなる遊技機本体と、遊技機本体の前面側に取付けられた前扉枠とが備えられている。遊技領域には入賞口、入賞装置等の各種遊技機器が設けられている。遊技者により遊技球発射ハンドルが操作されると遊技球が遊技領域に向けて発射され、発射された遊技球が入賞口や入賞装置などに入賞すると、それに伴い所定個数の遊技球が払い出される。
【０００３】
また、上述した遊技盤の多くは、遊技盤の主体となる合板とその合板の表面に貼り付けられたシート材とを備えている。シート材は透明性を有する合成樹脂材料により形成されており、さらに、合板と対向する面に所定の絵柄が付与されている。それら絵柄によって遊技盤の意匠性の向上が図られている。また、絵柄をシート材の背面に付与することで、遊技球が絵柄に直接接触することに起因して絵柄が剥がれたり摩耗したりするといった不都合を回避可能としている（例えば特許文献１参照）。また、シート材の上から複数の遊技釘が打ち込まれ、当該遊技釘によって遊技領域における遊技球の動きが多様化されている。
【先行技術文献】
【特許文献】
【０００４】
【特許文献１】特開平２００３−３８７４３号公報
【発明の概要】
【発明が解決しようとする課題】
【０００５】
シート材に形成された絵柄は遊技機の機種毎に異なっており、遊技機の機種を変更する場合にはシート材を交換しなければならない。しかしながら、シート材は遊技盤単位でしか交換できないため、上記機種の変更を行う場合には遊技盤を全て交換しなければならない。よって、シート材の交換に対して改善の余地が残されている。
【０００６】
また、遊技盤にはシート材以外の装飾体が設けられていることがあり、この装飾体を交換する場合にも遊技盤単位でしか交換できないものがある。この場合、装飾体の交換を行う場合には遊技盤を全て交換しなければならないため、上記装飾体の交換に対しても改善の余地が残されている。
【０００７】
本発明は上記例示した事情等に鑑みてなされたものであり、装飾体の交換を可能とする遊技機を提供することを目的とするものである。
【課題を解決するための手段】
【０００８】
本発明は、
前面側に遊技球が流れ落ちる遊技領域が形成されるとともに、少なくとも一部が透明又は半透明に形成された前面体と、
前記前面体の背面側に設けられた基体と、
前記前面体及び基体に挟まれた位置に配置されるとともに、単独で又は前記基体とともに前記前面体から取り外し可能に設けられ、前記前面体を通して遊技機前方から視認可能な装飾体と、
を備えていることを特徴とする。
【発明の効果】
【０００９】
本発明によれば、装飾体の交換が可能となる。
【図面の簡単な説明】
【００１０】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】図１０のＡ−Ａ線切断部端面図である。
【図１５】図７のＢ−Ｂ線切断部端面図である。
【図１６】図７，図１０のＣ−Ｃ線切断部端面図である。
【図１７】パチンコ機の電気的構成を示すブロック図である。
【図１８】大当たり抽選処理を示すフローチャート図である。
【図１９】表示制御処理を示すフローチャート図である。
【図２０】発光体用基板の別例を示す概略図である。
【図２１】発光体用基板の別例を示す概略図である。
【図２２】別例における前面体と遊技釘を示す概略図である。
【発明を実施するための形態】
【００１１】
はじめに、本実施の形態から抽出され得る発明を、必要に応じて効果等を示しつつ説明する。
【００１２】
手段１．前面側に遊技球が流れ落ちる遊技領域が形成されるとともに、少なくとも一部が透明又は半透明に形成された前面体（前面体１７１）と、
前記前面体の背面側に設けられた基体（基体１６９）と、
前記前面体及び基体に挟まれた位置に配置されるとともに、その配置された位置から単独で又は前記基体とともに取り外し可能に設けられ、前記前面体を通して遊技機前方から視認可能な装飾体（シート材１７０）と、
を備えていることを特徴とする遊技機。
【００１３】
手段１によれば、遊技機前方から視認可能な装飾体が設けられていることにより、遊技機の意匠性が高められている。また、装飾体を変更することによって遊技機の意匠性を変更することが望まれる場合がある。しかしながら、例えば、遊技機には、遊技領域に遊技釘等が設けられており、装飾体を交換する場合にその遊技釘の抜き取り作業を行わなければ装飾体を変更できず、その交換作業が複雑化する問題が懸念される。また、遊技釘のみならず、遊技領域に設けられた遊技球が接触し遊技球の落下方向を分散する分散部材や、遊技球が入球する入球部等に設けられた遊技部材にも上記問題が懸念される。
【００１４】
これに対して本手段によれば、装飾体は前面体の後方に設けられているため、装飾体の交換に際して遊技釘等の抜き取り作業や遊技部材の取り外し作業等を要しない。遊技機においては、装飾体を交換することによりその意匠性を変更することができるが、本構成によれば、当該変更作業の簡易化が図られる。
【００１５】
また、装飾体は前面体及び基体に挟まれた位置に配置されているとともに、その配置された位置から単独で又は基体とともに取り外し可能に設けられている。つまり、装飾体の支持を前面体と基体との挟み込みにより行う、又は装飾体の支持を基体にて行わせることが可能となり、装飾体を前面体に固定していなくとも装飾体の支持を良好に行うことが可能となる。装飾体を前面体に固定した場合を想定すると、その固定箇所が遊技機前方から視認されてしまうことが懸念される。特に、装飾体が前面体に接着剤等を用いて固定されている場合には、装飾体と前面体との境界部分において接着剤の塗りむらや気泡などが生じた際に、それが目立ってしまう。これに対して、本構成によれば、このような不都合の発生を抑制することができ、上記のとおり装飾体の支持を良好に行うことが可能となる。
【００１６】
また、前面体の背面側に装飾体が設けられているため、装飾体に直接遊技球が接触することはなく、遊技領域を流れ落ちる遊技球が接触することによって装飾体が摩耗してしまうといった不都合の発生が抑えられる。よって、装飾体をより長い期間に亘り使用することが可能となる。
【００１７】
また、装飾体を変更する場合であっても、前面体をそのまま使用することが可能であり、意匠性の変更や機種の変更に際して、前面体を再利用することが可能となる。
【００１８】
なお、「視認可能な装飾体」とは、シート状を有した平面的なものだけでなく、立体的な構造を有しているものも含まれる。
【００１９】
手段２．前面側に遊技球が流れ落ちる遊技領域が形成されるとともに、透明又は半透明に形成された前面体（前面体１７１）と、
前記前面体の背面側に設けられた基体（基体１６９）と、
前記前面体及び基体に挟まれた位置に配置されるとともに、その配置された位置から単独で又は前記基体とともに取り外し可能に設けられ、さらに、シート状をなし、前記前面体を通して遊技機前方から視認可能な装飾体（シート材１７０）と、
を備えていることを特徴とする遊技機。
【００２０】
手段２によれば、遊技機前方から視認可能なシート状の装飾体が設けられていることにより、遊技機の意匠性が高められている。また、装飾体を変更することによって遊技機の意匠性を変更することが望まれる場合がある。しかしながら、例えば、遊技機には、遊技領域に遊技釘等が設けられており、装飾体を交換する場合にその遊技釘の抜き取り作業を行わなければ装飾体を変更できず、その交換作業が複雑化する問題が懸念される。また、遊技釘のみならず、遊技領域に設けられた遊技球が接触し遊技球の落下方向を分散する分散部材や、遊技球が入球する入球部等に設けられた遊技部材にも上記問題が懸念される。
【００２１】
これに対して本手段によれば、装飾体は前面体の後方に設けられているため、装飾体の交換に際して遊技釘の抜き取り作業や遊技部材等の取り外し作業等を要しない。遊技機においては、装飾体を交換することによりその意匠性を変更することができるが、本構成によれば、当該変更作業の簡易化が図られる。
【００２２】
また、装飾体は前面体及び基体に挟まれた位置に配置されているとともに、その配置された位置から単独で又は基体とともに取り外し可能に設けられている。つまり、シート状の装飾体の支持を前面体と基体との挟み込みにより行う、又はシート状の装飾体の支持を基体にて行わせることが可能となり、比較的薄い装飾体の場合においても前面体に固定していなくとも装飾体の支持を良好に行うことが可能となる。装飾体を前面体に固定した場合を想定すると、その固定箇所が遊技機前方から視認されてしまうことが懸念される。特に、装飾体が前面体に接着剤等を用いて固定されている場合には、装飾体と前面体との境界部分において接着剤の塗りむらや気泡などが生じた際に、それが目立ってしまう。これに対して、本構成によれば、このような不都合の発生を抑制することができ、上記のとおり装飾体の支持を良好に行うことが可能となる。
【００２３】
また、前面体の背面側に装飾体が設けられているため、装飾体に直接遊技球が接触することはなく、遊技領域を流れ落ちる遊技球が接触することによって装飾体が摩耗してしまうといった不都合の発生が抑えられる。よって、装飾体をより長い期間に亘り使用することが可能となる。
【００２４】
また、装飾体を変更する場合であっても、前面体をそのまま使用することが可能であり、意匠性の変更や機種の変更に際して、前面体を再利用することが可能となる。
【００２５】
手段３．手段２において、前記装飾体のシート面は、前記基体の前面側に貼り付けられていることを特徴とする遊技機。
【００２６】
手段３によれば、基体に対してシート状の装飾体が貼り付けられているため、比較的薄い装飾体の場合であってもその支持が良好に行われる。また、仮に基体に対して装飾体を貼り付けた際に接着剤の塗りむらが生じたり、気泡が入ってしまったりしたとしても、それを遊技機前方からは視認しにくいため、装飾体の意匠性が低下してしまうことを抑制することが可能となる。
【００２７】
なお、基体の前面への装飾体の貼り付けを、粘着剤を用いて行うことで、基体からの装飾体の取り外しを容易に行うことが可能となる。この場合、意匠性の変更や機種の変更に際して、前面体だけでなく基体も再利用することが可能となる。
【００２８】
手段４．手段２又は３において、前記前面体と前記基体とは、固定解除が可能な固定具（ネジ１８５）を用いて相互に固定されていることを特徴とする遊技機。
【００２９】
手段４によれば、前面体、装飾体及び基体をユニット化することができ、これらの部材の取付作業を良好に行うことができる。また、本構成において、前面体と基体とを固定する固定具は固定解除可能に設けられているため、前面体と基体との間に配置されている装飾体の交換に際しては、上記固定具の固定状態を解除すればよく、当該交換作業を良好に行うことができる。
【００３０】
手段５．手段２乃至４のいずれか１において、前記遊技領域を流れ落ちる遊技球が当たり、それによって遊技球が落下する方向を分散させる分散部材（遊技釘８８）を備え、
前記前面体の背面及び前記基体の前面は平坦に形成されており、
前記装飾体は、シート面の一方が前記基体の前面に接しており、他方が前記前面体の背面に接するようにして設けられており、
前記分散部材における後端部は、前記前面体の背面よりも遊技機後方に突出しないように設けられていることを特徴とする遊技機。
【００３１】
手段５によれば、前面体の背面が平坦状を有しており、装飾体のシート面が前面体の背面に接しているため、前面体と装飾体とが接していない場合と比して、装飾体を遊技機前方側に設けることが可能となり、装飾体の前方に前面体が設けられているとしても、装飾体が不鮮明に視認されることを抑制できる。
【００３２】
また、分散部材が前面体の背面よりも遊技機後方に突出しないように設けられている。すなわち、前面体の後面側に装飾体が接しているとしても、分散部材が装飾体に接することがなくなる。仮に、分散部材が装飾体に接触していると、分散部材と接触している部分における装飾体に付与された絵柄が視認できなくなることが考えられる。これに対して、本手段によれば、装飾体と分散部材とが接触することがなく、装飾体に絵柄が形成されている場合に、その絵柄が視認不可能となってしまうことを抑制できる。さらに、装飾体を取り外す際に、分散部材によってその取り外しが妨げられることを抑制し、分散部材が装飾体に接触している場合と比して、装飾体の交換を容易にすることが可能となる。
【００３３】
また、分散部材のみならず、遊技領域に設けられた遊技球が接触する又は入球する入球部を形成する等の遊技部材が設けられている遊技機において、その遊技部材における後端部が装飾体に接触しないようにすれば、上記絵柄が視認不可能となることを抑制する効果及び装飾体の交換を容易にする効果を高めることもできる。
【００３４】
なお、「分散部材」とは、遊技領域に設けられた遊技釘だけでなく、合成樹脂等によって形成された突起物も含まれる。また、その突起物が前面体に対して取り付けられているものが含まれるだけでなく、その突起物と前面体とが一体形成されているものが含まれる。
【００３５】
手段６．手段１乃至４のいずれか１において、前記遊技領域を流れ落ちる遊技球が当たり、それによって遊技球が落下する方向を分散させる分散部材（遊技釘８８）を備え、
前記分散部材はその後端部が、前記装飾体に接しないように前記前面体に固定されていることを特徴とする遊技機。
【００３６】
手段６によれば、分散部材が装飾体に接しない。仮に、分散部材が装飾体に接していると、分散部材と接している部分の装飾体に付与された絵柄が視認できなくなることが考えられる。これに対して、本手段によれば、前面体を分散部材が貫通していないために、装飾体と分散部材とが接触することがなく、装飾体に形成されている絵柄が視認不可能となってしまうことを抑制できる。さらに、分散部材が装飾体に接触していないために、装飾体を取り外す際に、分散部材によってその取り外しが妨げられることを抑制し、分散部材が装飾体と接触している場合と比して、装飾体の交換を容易にすることが可能となる。
【００３７】
また、分散部材のみならず、遊技領域に設けられた遊技球が接触する又は入球する入球部を形成する等の遊技部材が設けられている遊技機において、その遊技部材における後端部が装飾体に接触しないようにすれば、上記絵柄が視認不可能となることを抑制する効果及び装飾体の交換を容易にする効果を高めることもできる。
【００３８】
手段７．手段１乃至６のいずれか１において、前記前面体に設けられ、前記遊技領域を流れ落ちる遊技球が入球可能な入球部（一般入賞口８２，可変入賞装置８３，作動口８４，スルーゲート８４及び可変表示ユニット８６等）と、
前記前面体、前記装飾体及び前記基体を貫通させて設けられ、前記入球部に入球した遊技球を前記基体の背面側へと誘導する誘導路（誘導部１７８）と、
を備え、
前記基体又は装飾体は、前記誘導路により遊技機背面側へと誘導された遊技球を視認不可とするように形成されていることを特徴とする遊技機。
【００３９】
手段７によれば、前面体、装飾体及び基体を貫通するようにして誘導路が設けられており、入球部に入球した遊技球は誘導路を介して基体の背面側へと誘導される。これにより、入球部に入球した遊技球を遊技領域から排除することが可能となる。
【００４０】
また、誘導路により遊技機背面側へと誘導された遊技球は基体又は装飾体によって視認不可となる。これにより、誘導路によって基体の背面側へと誘導された遊技球と、遊技領域にて流れ落ちる遊技球と、を遊技者が区別できなくなることを抑制できる。
【００４１】
なお、「入球する」とは、遊技球が開口等に入ることだけでなく、遊技球が所定領域を通過することも含まれる。
【００４２】
手段８．手段１乃至７のいずれか１において、前記基体の背面側には、遊技の進行を可能とする電気機器（図柄表示装置９１、主制御装置１６２等）が設置される領域が設けられていることを特徴とする遊技機。
【００４３】
手段８によれば、遊技の進行を可能とする電気機器が設置される領域として基体の一部が用いられるため、基体の多機能化が図られる。
【００４４】
手段９．手段１乃至８のいずれか１において、前記基体の背面側には、発光手段（発光体１９０）が搭載される搭載領域を有しており、
前記発光手段により前記基体の背面側から照射された光が、遊技機前方から視認可能なように、これら前記基体、前記装飾体及び前記前面体が形成されていることを特徴とする遊技機。
【００４５】
手段９によれば、演出などに使用される発光手段を搭載する領域として基体の一部が用いられるため、基体の多機能化が図られる。ちなみに、発光手段が設けられていることにより、遊技の演出の多様化が図られる。
【００４６】
また、基体の背面側に搭載領域が設けられている。仮に、基体の前方側に搭載領域が設けられているとすると、その搭載領域によって基体における装飾体の支持が阻害されることも考えられる。これに対して、基体の背面側に搭載領域を設けたことにより、その搭載領域によって装飾体の支持が阻害されることを抑制できる。
【００４７】
手段１０．手段１乃至８のいずれか１において、前記基体の背面側には、発光手段（発光体１９０）が搭載される搭載領域を有しており、
前記発光手段は、前記搭載領域において前記遊技領域の後方に配置されており、
前記発光手段から照射された光は、前記前面体を通して遊技機前方から視認可能となることを特徴とする遊技機。
【００４８】
手段１０によれば、演出などに使用される発光手段を搭載する領域として基体の一部が用いられるため、基体の多機能化が図られる。
【００４９】
また、発光手段は遊技領域の後方において光を照射し、その光は遊技領域を通じて遊技機前方から視認される。したがって、遊技者にとっては遊技領域における遊技球の動きと光の演出とを一体的に視認することが可能となり、遊技への注目度が高められる。さらに、遊技領域には複数の遊技釘が設けられていることがあり、当該遊技領域に対して発光手段を設けることはできず、従来においては上記のような光の演出は困難であったが、本構成によれば、遊技領域の後方において光を照射するため、上記のような光の演出が可能となる。そして、当該光の演出は、装飾体の支持を良好に行う機能を有する基体を用いて実現されている。
【００５０】
手段１１．手段９又は１０において、前記基体は、遊技機の前後方向に開口する開口部（開口部１９１）を備えており、
前記発光手段は、前記開口部を介して前記装飾体の背面に光を照射するように設けられており、
前記装飾体における少なくとも前記開口部の前方に位置する部位は光透過性を有し、
前記発光手段から発せられた光が、前記装飾体を介して遊技機前方に照射されることを特徴とする遊技機。
【００５１】
手段１１によれば、発光手段からの光は開口部を通じて装飾体の背面に照射されるため、基体に開口部が設けられておらずその厚み方向に伝搬した後に装飾体の背面に光が照射される構成に比べ、当該装飾体の背面に照射される光量を多くすることが可能となる。
【００５２】
手段１２．手段１１において、前記発光手段から発せられた光の前記装飾体への照射範囲に前記開口部の前側周縁部が含まれるように、前記発光手段が設けられていることを特徴とする遊技機。
【００５３】
手段１２において、発光手段から発せられた光の装飾体への照射範囲に開口部の前側周縁部が含まれる。これにより、開口部における前側周縁部の形状によって発光手段から装飾体に照射される光の照射範囲が決定される。すなわち、開口部における前側周縁部の形状によって装飾体における発光の模様を決定することが可能となる。
【００５４】
手段１３．手段９において、前記基体又は当該基体の後方に設置されており、前記発光手段から発せられた光の遊技機前方への照射範囲を規制する光規制部（光規制部材２５６，２６０）を備え、
前記基体及び前記装飾体は、前記光規制部材によって規制された光が遊技機前方から視認可能となるように形成されていることを特徴とする遊技機。
【００５５】
手段１３によれば、光規制部の形状によって遊技機前方から視認される光の模様を決定することが可能となり、光の模様を複雑なものとする場合であっても、基体に対して複雑な加工を行うことを要しない。
【００５６】
手段１４．手段１３において、前記光規制部はその設置箇所から取り外し可能に設けられていることを特徴とする遊技機。
【００５７】
手段１４によれば、光規制部が取り外し可能となっているため、光規制部を交換することができる。これにより、発光手段による発光の模様の変更が望まれる場合に光規制部を交換するのみにて、発光手段による発光の模様を変更することが可能となる。
【００５８】
手段１５．手段１３又は１４において、前記基体は、前記光規制部とその前方において対向する対向部を有するように形成されており、
前記装飾体は、前記基体の対向部に対して遊技機の前側から接しており、
さらに、前記基体及び前記装飾体における少なくとも前記光規制部の前方に位置する部位は光透過性を有し、
前記光規制部によって規制された光が、前記基体及び前記装飾体を介して遊技機前方に射出されることを特徴とする遊技機。
【００５９】
手段１５によれば、基体及び装飾体における少なくとも光規制部の前方に位置する部位は光透過性を有している。これにより、基体及び装飾体に開口を設けることなく、光規制部によって規制された光を遊技機前方から視認することが可能となる。
【００６０】
基体に開口部が形成された構成においては、装飾体において開口部の前方に位置する部位が支持されず、その部位が撓んだり、破損したりする可能性が生じる。これに対して、本手段によれば、発光手段からの光を遊技機前方に射出するための開口部が基体に形成されていないため、上記のような不都合が生じることはない。また、当該構成であっても、基体及び装飾体における少なくとも光規制部の前方に位置する部位は光透過性を有しており、光規制部によって規制された光が、基体及び装飾体を介して遊技機前方に射出されるため、発光手段から遊技機前方への光の射出が阻害されることはない。
【００６１】
手段１６．手段９乃至１５のいずれか１において、前記基体の背面には所定の領域が薄肉となるように段差部が形成されており、
前記搭載領域は、当該所定の領域に設けられていることを特徴とする遊技機。
【００６２】
手段１６によれば、基体における肉薄となっている部分の後方に搭載領域が設けられている。これにより、発光手段から遊技機前方までの距離を短くすることが可能となり、発光手段から照射された光が遊技機前方に到達するまでに拡散してしまうことを抑制できる。
【００６３】
また、遊技機における遊技領域を形成する遊技盤の厚みは概ね決まっていることが多く、その厚みよりも過度に大きい又は小さい遊技盤は使用できないことが考えられる。本手段における前面体、装飾体及び基体を一体化させた場合の厚みを一般的な遊技機の遊技領域を形成する遊技盤と同じ厚みにすることによって、前面体、装飾体及び基体を一体化させたものを一般的な遊技機における遊技盤の代替部材として使用することが可能となる。
【００６４】
手段１７．手段９乃至１６のいずれか１において、遊技球が入賞する入賞口（作動口８４）と、
表示手段（図柄表示装置９１）と、
前記入賞口に遊技球が入球したことに基づいて、前記表示手段を表示制御する表示制御手段（表示制御装置３２５）と、
前記表示制御手段による表示制御に対応させて前記発光手段を発光制御する発光制御手段（表示制御装置３２５による変動表示決定処理を行う機能）と、
を備えていることを特徴とする遊技機。
【００６５】
手段１７によれば、表示制御手段による表示制御が行われている場合に、発光手段が発光する。すなわち、表示手段における表示と連動して発光手段は発光することとなる。遊技者は表示手段における表示に注目して遊技を行っているものであり、表示と連動して発光手段が発光することにより、遊技者の表示への注目度を高めることが可能となる。
【００６６】
手段１８．手段１７において、前記表示手段は、前記基体の背面に取り付けられるものであり、
前記発光手段は、前記表示手段に設置されていることを特徴とする遊技機。
【００６７】
手段１８によれば、搭載領域は表示手段に設けられている。すなわち、表示手段と発光手段とを一体化させることが可能となる。これにより、表示手段を取り外すことによって発光手段をも取り外すことが可能となり、遊技機のメンテナンス作業や遊技機の組立作業等を行う場合の作業効率を向上させることができる。
【００６８】
以下に、以上の各手段を適用し得る遊技機の基本構成を示す。
【００６９】
弾球遊技機：遊技者が操作する操作手段（遊技球発射ハンドル４１）と、その操作手段の操作に基づいて遊技球を弾いて発射する球発射手段（遊技球発射機構１１０）と、その発射された遊技球を所定の遊技領域に導く誘導部（内，外レール部１０１，１０２）と、遊技領域内に配置された各遊技部品（一般入賞口８２等）とを備えた遊技機。
【００７０】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００７１】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００７２】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００７３】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パックユニット１５が回動可能に支持されており、正面視で左側を回動基端側とし右側を回動先端側として後方へ回動可能とされている。
【００７４】
次に、前扉枠１４について説明する。なお、以下の説明では、図１〜図３を参照するとともに、前扉枠１４の背面の構成については図５を参照する。図５は、前扉枠１４の背面図である。
【００７５】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等が設けられている。例えば、窓部２１の周縁に沿ってＬＥＤ等を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００７６】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００７７】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００７８】
前扉枠１４の背面には、図２及び図５に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００７９】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【００８０】
次に、本体枠１３について詳細に説明する。図６は本体枠１３の正面図である。
【００８１】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００８２】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００８３】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００８４】
樹脂ベース７１の中央部には略楕円形状の窓孔７６が形成されている。樹脂ベース７１には遊技盤ユニット８１が着脱可能に取り付けられている。遊技盤ユニット８１は基体１６９、シート材１７０及び前面体１７１が一体化されたユニットであり、遊技盤ユニット８１の前面に形成された遊技領域が樹脂ベース７１の窓孔７６を通じて本体枠１３の前面側に露出した状態となっている。
【００８５】
ここで、遊技領域の構成を図７に基づいて説明する。遊技盤ユニット８１には、ルータ加工が施されることによって前後方向に貫通する大小複数の開口が形成されている。各開口には、入球部として一般入賞口８２，可変入賞装置８３，作動口８４，スルーゲート８５及び可変表示ユニット８６等がそれぞれ設けられている。一般入賞口８２、可変入賞装置８３及び作動口８４に遊技球が入ると、それが後述する検知スイッチにより検知され、その検知結果に基づいて所定数の賞球の払い出しが実行される。その他に、最下部にはアウト口８７が設けられており、各種入賞口等に入らなかった遊技球はアウト口８７を通って遊技領域から排出される。また、遊技盤ユニット８１には、遊技球の落下方向を適宜分散、調整等するために多数の遊技釘８８が植設されていると共に、風車等の各種部材（役物）が配設されている。
【００８６】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００８７】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００８８】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００８９】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００９０】
遊技盤ユニット８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００９１】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００９２】
発射レール１１２と遊技盤ユニット８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００９３】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００９４】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００９５】
次に、本体枠１３の背面構成について説明する。図８は本体枠１３の背面図である。
【００９６】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【００９７】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【００９８】
樹脂ベース７１の背面には、係止金具１３５が複数設けられており、これら係止金具１３５によって上述したように樹脂ベース７１に対して遊技盤ユニット８１が取り付けられている。ここで、遊技盤ユニット８１の背面の構成を説明する。図９は遊技盤ユニット８１を後方より見た斜視図、図１０は遊技盤ユニット８１から主制御装置ユニット１６０を取り外した状態を示す背面図である。
【００９９】
遊技盤ユニット８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置９１を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【０１００】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【０１０１】
遊技盤ユニット８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０１０２】
遊技球回収機構について説明すると、集合板ユニット１５０には、前記一般入賞口８２、可変入賞装置８３、作動口８４の開口に対応して且つ下流側で１カ所に集合する回収通路１５１が形成されている。したがって、一般入賞口８２等に入賞した遊技球は何れも回収通路１５１を介して遊技盤ユニット８１の下方に集合する。遊技盤ユニット８１の下方には排出通路があり、回収通路１５１により遊技盤ユニット８１の下方に集合した遊技球は排出通路内に導出される。なお、アウト口８７も同様に排出通路に通じており、何れの入賞口にも入賞しなかった遊技球もアウト口８７を介して排出通路内に導出される。
【０１０３】
入賞検知機構について説明すると、集合板ユニット１５０には、パチンコ機１０の表側の一般入賞口８２と対応する位置に入賞口スイッチ１５２が設けられ、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。なお、集合板ユニット１５０外における可変表示ユニット８６の左右両側には、スルーゲート８５を通過する遊技球を検知するゲートスイッチ１５５が設けられている。
【０１０４】
さらに、遊技盤ユニット８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１０５】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１０６】
基板ボックス１６３は、略直方体形状のボックスベース（表ケース体）とこのボックスベースの開口を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１０７】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１０８】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１０９】
次に、裏パックユニット１５について説明する。図１２は裏パックユニット１５の正面図、図１３は裏パックユニット１５の分解斜視図である。
【０１１０】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１１１】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１１２】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１１３】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１１４】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１１５】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１１６】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１１７】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１１８】
電源及び発射制御装置２４３は、基板ボックス２４６内に電源及び発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１１９】
ここで遊技盤ユニット８１について図１４を用いて説明する。図１４は、図１０のＡ−Ａ線切断部端面図である。遊技盤ユニット８１は、基体１６９、シート材１７０及び前面体１７１が一体化されたユニットである。
【０１２０】
先ず、基体１６９について説明する。基体１６９は木製からなる合板となっており、シート材１７０及び前面体１７１よりもパチンコ機１０の後方側に設けられている。すなわち、上述した主制御装置ユニット１６０，集合板ユニット１５０等は、遊技盤ユニット８１における基体１６９に取り付けられていることとなる。また、基体１６９の前面及び背面は平坦状をなしている。
【０１２１】
次にシート材１７０について説明する。シート材１７０は、光透過性を有する樹脂材料、例えばキャブロイド（登録商標）等で形成された樹脂板１７２と、同じく光透過性を有する裏紙１７３と、裏紙１７３を接着する接着層１７４ａ，１７４ｂとを備えている。樹脂板１７２の背面には、パチンコ機１０の機種に関する絵柄等がオフセット印刷により描画又は着色されている。この絵柄等によってパチンコ機１０の意匠性の向上が図られている。樹脂板１７２と裏紙１７３とは、接着層１７４ａによって接着されている。そして、裏紙１７３は基体１６９の前面に接着層１７４ｂによって接着されている。また、接着層１７４ａ，１７４ｂ及び樹脂板１７２に印刷された絵柄等も光透過性を有し、シート材１７０は全体として光を透過する構成となっている。
【０１２２】
なお、本実施形態では、シート材１７０の取り外しを容易にするため、接着層１７４ｂには粘着剤を用いている。また、樹脂板１７２におけるセンターフレーム９２の右上方に位置する部分には、シルクスクリーン印刷にてパチンコ機１０の名称や大当たりとなる確率等が表示されている。シルクスクリーン印刷にて印刷されている部分を視認することによってパチンコ機１０がどのような遊技機なのかを遊技者は好適に理解することができる。また、シート材１７０に裏紙１７３が設けられていなくともよい。この場合、樹脂板１７２を基体１６９に貼り付ければよい。
【０１２３】
基体１６９とシート材１７０とが一体化されたものの前方側に接するようにして前面体１７１が設けられている。前面体１７１は光透過性を有する樹脂材料、例えば、アクリル板等で形成されており、無色透明性となっている。前面体１７１が透明性を有しているために、シート材１７０に着色された絵柄等をパチンコ機１０の前方から視認することが可能となっている。仮に、シート材１７０の前方に前面体１７１が設けられていないとすると、パチンコ機１０にて遊技を行う場合に、遊技球がシート材１７０に接触し、シート材１７０が磨耗してしまうことが考えられる。シート材１７０の前方に前面体１７１が設けられていることによってパチンコ機１０にて遊技を行う際にシート材１７０に遊技球が接触することを抑制できる。
【０１２４】
図１４に示すように、前面体１７１と基体１６９とはネジ１８５によって固定されている。ネジ１８５は基体１６９の後方側から前方側に向かって設けられており、ネジ１８５が基体１６９及びシート材１７０を貫通し、前面体１７１に到達することによって基体１６９と前面体１７１とが一体化されるように固定されている。前面体１７１と基体１６９との固定手段にネジ１８５を用いたことにより、ネジ１８５を取り外すことによってシート材１７０を交換することが可能となる。なお、前面体１７１とシート材１７０とは完全に接するようにして固定される必要はなく、若干の隙間が生じていてもよい。
【０１２５】
ちなみに、シート材１７０の背面はその全体が基体１６９の前面と重なっている。また、シート材１７０の前面はその全体が前面体１７１の背面と重なっている。換言すれば、少なくとも前面体１７１における遊技領域の後方には、シート材１７０が設けられている。
【０１２６】
次に、本実施形態における遊技釘８８について図１５を用いて説明する。図１５は、図７におけるＢ−Ｂ線切断部端面図である。本実施形態では、前面体１７１に設けられた遊技釘８８の後端側が前面体１７１の背面より突出していない。換言すると、シート材１７０と遊技釘８８とが接しないように構成されている。これにより、シート材１７０及び基体１６９の取り付け及び取り外しを行う場合に、遊技釘８８によってその取り付け及び取り外しが阻害されることを抑制できる。また、仮に、遊技釘８８がシート材１７０に接しているとすると、遊技釘８８と接している部分におけるシート材１７０に付与された絵柄が視認できなくなってしまうことが考えられる。本実施形態では、遊技釘８８がシート材１７０と接していないため、遊技釘８８によってシート材１７０に付与された絵柄が視認できなくなってしまい、パチンコ機１０の意匠性が低下することを抑制できる。
【０１２７】
次に、入球部が設けられている遊技盤ユニット８１の開口部について図１５を用いて説明する。なお、入球部に設けられた開口部についてはそれぞれ同様の構成となっているため、一般入賞口８２を用いて説明する。
【０１２８】
一般入賞口８２には球受部１７６と、球受部１７６の底部１７７から後方に延びる誘導部１７８とが設けられている。また、基体１６９、シート材１７０及び前面体１７１を貫通するようにして、開口部が設けられており、その開口部に誘導部１７８が差込まれるようにして前面体１７１に固定されている。
【０１２９】
球受部１７６と前面体１７１との間に遊技球が入球できる空間が設けられており、その空間に入球した遊技球は球受部１７６、底部１７７を介して誘導部１７８に遊技球が到達する。誘導部１７８はその上面が後方側へ向けて下り傾斜となるように形成されており、誘導部１７８に到達した遊技球は基体１６９の背面側へと誘導される。
【０１３０】
一般入賞口８２に遊技球が入球した場合（図１５におけるＰ１）、前面体１７１に固定された球受部１７６と、前面体１７１との間を落下することとなる。球受部１７６の底部１７７に落下した遊技球は、誘導部１７８を通過した後、基体１６９の後端部に設けられた排出口１７９より排出されることとなる（図１５におけるＰ２）。
【０１３１】
上述したように、基体１６９は木製の合板であるため、透明性を有していない。これにより、一般入賞口８２に入球した遊技球を基体１６９の背面側に誘導することによって、当該遊技球がパチンコ機１０の前面側から視認されることを抑制し、前面体１７１にて流れ落ちる遊技球と、入球部に入球した遊技球とを、遊技者に区別させることが可能となる。
【０１３２】
次に、遊技盤ユニット８１（すなわち、基体１６９）の背面に設けられた発光体用基板１８０ａ〜１８０ｅについて説明する。図８〜１０に示すように、遊技盤ユニット８１の背面には、発光体用基板１８０ａ〜１８０ｅが設けられている。具体的には、遊技盤ユニット８１の上部中央に発光体用基板１８０ａが固定されており、遊技盤ユニット８１における左右方向の中心線に対して左右対称となるように音声ランプ制御装置１４３の左方及び右方に発光体用基板１８０ｂ，１８０ｃが固定されている。また、遊技盤ユニット８１における左右方向の中心線に対して線対称となるように、かつスイッチ１５２の上方向に位置するように発光体用基板１８０ｄ，１８０ｅが設けられている。また、発光体用基板１８０ａ〜１８０ｃは、その一部が可変表示ユニット８６と重なるようにして設置されている。発光体用基板１８０ａ〜１８０ｅにはそれぞれコネクタ１８１が設けられており、コネクタ１８１に配線が施されることによって、発光体用基板１８０ａ〜１８０ｅにそれぞれ設けられた発光体１９０を発光させることができる。発光体１９０は前面体１７１における遊技領域の後方に設けられており、発光体１９０から照射された光は前面体１７１における遊技領域を介してパチンコ機１０の前方へと照射されることとなる。
【０１３３】
発光体用基板１８０ａ〜１８０ｅは基体１６９の背面と平行な板状をなしており、発光体用基板１８０ａ，１８０ｄ，１８０ｅはそれぞれ左右方向に長い長方形状となっており、発光体用基板１８０ｂ，１８０ｃは上下方向に長い長方形状となっている。その左右両側部には複数の貫通孔（図示略）が形成されている。発光体用基板１８０ａ〜１８０ｅは、それら貫通孔にビス等の締結具を挿通した状態で基体１６９の背面に固定されている。
【０１３４】
次に、上述した発光体用基板１８０ａ〜１８０ｅについて図１６を用いて詳細に説明する。図１６は、図７，図１０におけるＣ−Ｃ線切断部端面図である。なお、発光体用基板１８０ａ〜１８０ｅについてはそれぞれ同様のものであるため、発光体用基板１８０ａについて説明する。
【０１３５】
発光体用基板１８０ａにおけるパチンコ機１０の前方側には発光体１９０が設けられている。本実施形態では発光体１９０に発光ダイオードを用いており、発光体１９０はハンダ付け等の固定手段によって固定されている。なお、発光ダイオードに代えて白熱球等を用いることも可能である。また、発光体用基板１８０ａにおける発光体１９０のパチンコ機１０の後方側には、コネクタ１８１が設けられている。基体１６９における発光体１９０の前方部分には、開口部１９１が設けられている。発光体１９０から照射された光が開口部１９１を通過している間に拡散してしまうことを抑制している。
【０１３６】
発光体１９０が発光した場合、その光がシート材１７０、前面体１７１を介してパチンコ機１０の前方側に射出される。シート材１７０は光透過性を有しており、さらに、前面体１７１は透明性を有しているため、発光体１９０から照射された光がパチンコ機１０の前方側から視認可能となる。また、開口部１９１の前方側の先端部がシート材１７０と接しており、さらに、発光体１９０から発せられる光の照射範囲は、開口部１９１よりも広範囲となっている。これにより、発光体１９０によって射出された光をパチンコ機１０の前方から視認した場合、開口部１９１の形状をした光がシート材１７０に現れることとなる。よって、発光体１９０が発光した場合には前方から所定の形状をした光（本実施形態では、魚形状）を視認することが可能となる。
【０１３７】
なお、発光体用基板１８０ａ〜１８０ｅにそれぞれ発光体１９０が５個ずつ設けられており、さらに、それぞれの発光体１９０の前方に開口部１９１が設けられている。これにより、複数箇所にて所定の形状をした光を遊技者に視認させることが可能となる。
【０１３８】
次に、パチンコ機１０の電気的構成について、図１７のブロック図に基づいて説明する。図１７では、電力の供給ラインを二重線矢印で示し、信号ラインを実線矢印で示す。
【０１３９】
主制御装置１６２に設けられた主制御基板３０１には、主制御回路３０２と停電監視回路３０３とが内蔵されている。主制御回路３０２には、ＣＰＵ３１１が搭載されている。ＣＰＵ３１１には、当該ＣＰＵ３１１により実行される各種の制御プログラムや固定値データを記憶したＲＯＭ３１２と、そのＲＯＭ３１２内に記憶される制御プログラムの実行に際して各種のデータ等を一時的に記憶するためのメモリであるＲＡＭ３１３と、割込回路やタイマ回路、データ入出力回路などの各種回路が内蔵されている。
【０１４０】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１４１】
ＣＰＵ３１１には、アドレスバス及びデータバスで構成されるバスラインを介して入出力ポートが接続されている。主制御回路３０２の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、主制御回路３０２には停電監視回路３０３を介して電力が供給される。
【０１４２】
一方、主制御回路３０２の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１４３】
停電監視回路３０３は、主制御回路３０２と電源及び発射制御基板３２１とを中継し、また電源及び発射制御基板３２１から出力される最大電源である直流安定２４ボルトの電源を監視する。
【０１４４】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１４５】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１４６】
払出制御基板３２２のＣＰＵ３３１には、アドレスバス及びデータバスで構成されるバスラインを介して入出力ポートが接続されている。払出制御基板３２２の入力側には、主制御回路３０２、電源及び発射制御基板３２１、及び裏パック基板２２９が接続されている。また、払出制御基板３２２の出力側には、主制御回路３０２及び裏パック基板２２９が接続されている。
【０１４７】
電源及び発射制御基板３２１は、電源部と発射制御部とを備えている。電源部は、二重線矢印で示す経路を通じて、主制御回路３０２や払出制御基板３２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１４８】
音声ランプ制御基板３２４は、各種ランプ部２３〜２５やスピーカ部２６や発光体用基板１８０ａ〜１８０ｅ（発光体１９０）、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１４９】
音声ランプ制御基板３２４のＣＰＵ３４１にはアドレスバス及びデータバスで構成されるバスラインを介して入出力ポートが接続されている。音声ランプ制御基板３２４の入力側には中継端子板３２３に中継されて主制御回路３０２が接続されており、主制御回路３０２から出力される各種コマンドに基づいて、各種ランプ部２３〜２５，スピーカ部２６，発光体用基板１８０ａ〜１８０ｅ（発光体１９０），及び表示制御装置３２５を制御する。表示制御装置３２５は、音声ランプ制御基板３２４から入力する表示コマンドに基づいて図柄表示装置９１を制御する。
【０１５０】
ここで、表示制御装置３２５にて演出及び図柄の変動表示を行う場合にパチンコ機１０にて行われる処理について図１８，１９を用いて説明する。
【０１５１】
図１８は、主制御装置１６２にて行われる大当たり抽選処理を示すフローチャートである。
【０１５２】
詳細な説明は省略するが、大当たり抽選処理とは、作動口８４に遊技球が入球したことに基づいて行われるものであり、作動口８４に遊技球が１個入球すると大当たり抽選処理が１回行われることとなる。本実施形態では、作動口８４に遊技球が入球した場合に大当たり抽選に用いる乱数を取得する。また、その乱数は最大４個まで保留記憶することが可能な構成となっており、乱数が保留記憶されていることに基づいて適宜大当たり抽選処理が行われる。
【０１５３】
大当たり抽選処理におけるステップＳ１０１では、先ず、取得した乱数を用いて大当たり抽選を行う。大当たり抽選を行ったらステップＳ１０２に進み、その大当たり抽選が当選であったか否かを判定する。ステップＳ１０２にて大当たり抽選に当選していた場合、ステップＳ１０３に進み、その当選が特定大当たりであったか否かを判定する。特定大当たりに当選していた場合、ステップＳ１０４に進み、特定大当たり用変動パターンコマンド決定処理を行う。変動パターンコマンド決定処理とは、主制御装置１６２に設けられたＲＯＭ３１２を用いて図柄表示装置９１にて行われる演出及び図柄の変動表示が行われる時間を決定するものである。すなわち、ステップＳ１０４では特定大当たりに当選していた場合の演出及び図柄の変動表示が行われる時間を決定する。ステップＳ１０４の処理を行った後にステップＳ１０５に進み、その決定された特定大当たり用変動パターンコマンドをセットする。
【０１５４】
また、ステップＳ１０３にてその当選が特定大当たりではなかった場合、ステップＳ１０６に進み、非特定大当たり用変動パターン決定処理にて非特定大当たり用の変動パターンを決定する。ステップＳ１０６の処理を行ったらステップＳ１０７に進み、その決定した非特定大当たり用変動パターンコマンドをセットする。
【０１５５】
また、ステップＳ１０２にて大当たり抽選に当選していなかった場合、ステップＳ１０８に進み、外れ用変動パターン決定処理にて外れ用の変動パターンを決定する。ステップＳ１０８の処理を行ったらステップＳ１０９に進み、その決定した外れ用変動パターンコマンドをセットする。
【０１５６】
いずれかの変動パターンコマンドをセットしたら（ステップＳ１０５，ステップＳ１０７，ステップＳ１０９のいずれか）、本大当たり抽選処理を終了する。
【０１５７】
セットされた変動パターンコマンドは、随時主制御装置１６２から音声ランプ制御装置１４３に送信され、音声ランプ制御装置１４３は変動パターンコマンドを受信したことに基づいて表示制御装置３２５等を制御することとなる。なお、変動パターンコマンドは特定大当たり用，非特定大当たり用，外れ用に対応して複数パターン設けられており、かつ、それら複数の変動パターンには同じ時間のものがない。音声ランプ制御装置１４３は受信した変動パターンコマンドに対応した時間から、その大当たり抽選処理における抽選結果を判定している。
【０１５８】
また、特定大当たりとは、その特定大当たりが終了した後に大当たり抽選に当選する確率が通常状態よりも高い高確率状態に移行する大当たりのことであり、非特定大当たりとはその大当たりが終了した場合に通常状態に移行する大当たりのことである。大当たり抽選に当選することを期待して遊技者は遊技を行っており、大当たりが終了した場合に高確率状態に移行する特定大当たりに当選することを期待して遊技を行うものである。
【０１５９】
次に、表示制御装置３２５にて行われる表示制御処理について図１９を用いて説明する。
【０１６０】
先ず、ステップＳ２０１にて音声ランプ制御装置１４３から外れ用変動パターンコマンドを受信したか否かを判定する。外れ用変動パターンコマンドを受信していなかった場合、ステップＳ２０２に進み、非特定大当たり用変動パターンコマンドを受信したか否かを判定する。非特定大当たり用変動パターンコマンドを受信していなかった場合、ステップＳ２０３に進み、特定大当たり用変動パターンコマンドを受信したか否かを判定する。特定大当たり用変動パターンコマンドを受信していなかった場合、本表示制御処理を終了する。
【０１６１】
ステップＳ２０３にて特定大当たり用変動パターンコマンドを受信していた場合、ステップＳ２０４に進み、特定大当たり用変動表示決定処理を行う。特定大当たり用変動表示決定処理とは、受信した特定大当たり用変動パターンコマンドに基づいて図柄表示装置９１にて行われる演出態様及び表示態様を決定するものである。
【０１６２】
また、ステップＳ２０２にて非特定大当たり用変動パターンコマンドを受信していた場合、ステップＳ２０５に進み、非特定大当たり用変動表示決定処理を行う。非特定大当たり用変動表示決定処理とは、受信した非特定大当たり用変動パターンコマンドに基づいて図柄表示装置９１にて行われる演出態様及び表示態様を決定するものである。
【０１６３】
また、ステップＳ２０１にて外れ用変動パターンコマンドを受信していた場合には、ステップＳ２０６に進み、外れ用変動表示決定処理を行う。外れ用変動表示決定処理とは、受信した外れ用変動パターンコマンドに基づいて図柄表示装置９１にて行われる演出態様及び表示態様を決定するものである。外れ用変動パターンコマンドを受信した場合には、図柄表示装置９１にて所定期間に亘り図柄の変動表示が行われた後に同じ数字の組合せが停止表示されることがない。
【０１６４】
ステップＳ２０４，ステップＳ２０５又はステップＳ２０６にていずれかの変動表示決定処理を行ったら本表示制御処理を終了する。
【０１６５】
図柄の変動表示が行われる場合の具体的な演出態様について図７を用いて説明する。便宜上、発光体用基板１８０ａに設けられた発光体１９０が発光した場合にシート材１７０において発光する部分を発光部分Ａ１〜Ａ３とし、発光体用基板１８０ｂに設けられた発光体１９０が発光した場合にシート材１７０において発光する部分を発光部分Ｂ１，Ｂ２とし、発光体用基板１８０ｃに設けられた発光体１９０が発光した場合にシート材１７０において発光する部分を発光部分Ｃ１，Ｃ２とし、発光体用基板１８０ｄに設けられた発光体１９０が発光した場合にシート材１７０において発光する部分を発光部分Ｄ１，Ｄ２とする。さらに、発光体用基板１８０ｅに設けられた発光体１９０が発光した場合にシート材１７０において発光する部分を発光部分Ｅ１，Ｅ２とする。
【０１６６】
なお、図１６も用いて説明した発光体用基板１８０ａ及び発光体１９０の構成については発光部分Ａ２の後方に設けられたものであるが、上述したように、発光部分Ａ１，Ａ３の後方に設けられた発光体１９０の構成と、発光部分Ｂ１，Ｂ２，Ｃ１，Ｃ２，Ｄ１，Ｄ２，Ｅ１，Ｅ２の後方に設けられた発光体用基板１８０ｂ〜１８０ｅ及び発光体１９０の構成と、についても同様のものである。これにより、いずれかの発光体１９０が発光した場合には、その発光した発光体１９０に対応したそれぞれの発光部分が光ることとなる。
【０１６７】
表示制御装置３２５が特定大当たり用変動パターンコマンドを受信し（表示制御処理のステップＳ２０３がＹＥＳ）、特定大当たり用変動表示決定処理にて発光体１９０を発光させるリーチ演出が行われる図柄の変動表示が決定された場合に発光体１９０が発光することとなる。
【０１６８】
なお、リーチ演出とは、２列の図柄が停止しており、かつ変動表示が行われている１列が所定の図柄で停止すると大当たりが発生する場合に、演出が行われることである。リーチ演出が行われることによって、大当たり抽選処理にて特定大当たり又は非特定大当たりに当選しているか否かの期待度を遊技者に教示する。大当たり抽選処理にて特定大当たり又は非特定大当たりに当選していると、図柄の変動表示が終了した場合に大当たりとなることに対応した所定の図柄の組合せが停止し、その所定の図柄の組合せが停止することによって大当たりが発生することを遊技者に教示する。
【０１６９】
発光体１９０が発光する演出及び図柄の変動表示が決定された場合、先ず、３列の図柄のうち２列の変動表示が停止表示され、リーチ演出が開始される。その後、発光部分Ｂ１が発光する。そして、発光部分Ｂ１が消灯するとともに、発光部分Ｂ２の発光が開始される。その後、発光部分Ｂ２が消灯するとともに、発光部分Ｄ１の発光が開始される。発光部分Ｄ１が消灯するとともに、発光部分Ａ１，Ｄ２の発光がそれぞれ開始される。そして、発光部分Ａ１，Ｄ２がそれぞれ消灯するとともに、発光部分Ａ２の発光が開始される。発光部分Ａ２が消灯するととともに、発光部分Ａ３，Ｅ１の発光がそれぞれ開始される。そして、発光部分Ａ３，Ｅ１がそれぞれ消灯するとともに、発光部分Ｅ２の発光が開始される。そして、発光部分Ｅ２が消灯するとともに、発光部分Ｃ１の発光が開始される。さらに、発光部分Ｃ１が消灯するとともに、発光部分Ｃ２の発光が開始される。その後に、発光部分Ｃ２の発光が終了する。
【０１７０】
すなわち、シート材１７０において発光部分が右方から左方に流れていくかのように視認される。上述したように、発光体１９０が発光している発光の模様を前方から視認した場合、その発光の模様は魚の形状に視認される。このため、シート材１７０において発光部分が右方から左方へと流れていくかのように視認されることによって、シート材１７０において魚が右方から左方へと泳いでいるかのように視認されることとなる。
【０１７１】
発光体１９０による発光が終了した後（すなわち、発光部分Ｃ２の発光が終了した後）、変動表示が行われている残り１列が停止表示され、大当たりとなることを教示する所定の図柄の組合せが停止表示することとなる。
【０１７２】
なお、本実施形態では、発光体用基板１８０ａ〜１８０ｅを基体１６９の後方側に設け、さらに、それぞれの発光体用基板１８０ａ〜１８０ｅに５個ずつ発光体１９０を設けたが、基体１６９に設けられている発光体用基板の数を限定することはなく、それぞれの発光体用基板１８０ａ〜１８０ｅに設けられている発光体１９０の数も限定しない。例えば、発光体用基板１８０ａには発光体１９０が３個のみ設けられており、発光体用基板１８０ｂには発光体１９０が２個設けられていてもよい。また、発光体用基板１８０ａ〜１８０ｅと発光体１９０とが設けられている位置も任意である。さらに、発光体用基板１８０ａ〜１８０ｅの前方にその発光体用基板に対応した発光体１９０が設けられている必要はなく、発光体用基板１８０ａ〜１８０ｅとその発光体用基板に対応した発光体１９０が離れた位置に設けられていてもよい。
【０１７３】
以上詳述した本実施形態によれば、以下の優れた効果を奏する。
【０１７４】
パチンコ機１０の前方から視認可能な絵柄が付与されたシート材１７０が設けられていることにより、パチンコ機１０の意匠性が高められている。この場合に、シート材１７０は、遊技釘８８が前面に設置された前面体１７１の後方に設けられており、遊技釘８８とシート材１７０が接していないため、シート材１７０の交換に際して遊技釘８８の抜き取り作業を要しない。遊技機においては、シート材１７０を交換することによりその意匠性を簡易的に変更することができるが、本構成によれば、当該変更作業の簡易化が図られる。
【０１７５】
また、シート材１７０は基体１６９に貼り付けられており、その配置された位置から取り外し可能に設けられている。つまり、シート材１７０の支持を基体にて行わせることが可能となり、比較的薄いシート材１７０を前面体１７１に固定してなくてもシート材１７０の支持を良好に行うことが可能となる。シート材１７０を前面体１７１に固定した場合を想定すると、その固定箇所がパチンコ機１０の前方から視認されてしまうことが懸念される。特に、シート材１７０が前面体１７１に接着剤等を用いて固定されている場合には、シート材１７０と前面体１７１との境界部分において接着剤の塗りむらや気泡などが生じた際に、それが目立ってしまう。これに対して、本構成によれば、このような不都合の発生を抑制することができ、上記のとおりシート材１７０の支持を良好に行うことが可能となる。また、基体１６９の前面へのシート材１７０の貼り付けを、粘着剤を用いて行った。これにより、基体からの装飾体の取り外しを容易に行うことが可能となる。この場合、意匠性の変更や機種の変更に際して、前面体１７１だけでなく基体１６９も再利用することが可能となる。
【０１７６】
また、前面体１７１の背面側にシート材１７０が設けられているため、シート材１７０に直接遊技球が接触することはなく、遊技領域を流れ落ちる遊技球が接触することによってシート材１７０が摩耗してしまうといった不都合の発生が抑えられる。よって、シート材１７０をより長い期間に亘り使用することが可能となる。
【０１７７】
また、シート材１７０を変更する場合であっても、遊技釘８８が設けられた前面体１７１をそのまま使用することが可能であり、意匠性の変更や機種の変更に際して、前面体１７１を再利用することが可能となる。
【０１７８】
基体１６９、前面体１７１をネジ１８５によって固定した。これにより、前面体１７１、シート材１７０及び基体１６９をユニット化することができ、これらの部材の取付作業を良好に行うことができる。また、シート材１７０の交換に際しては、ネジ１８５を取り外せばよく、当該交換作業を良好に行うことができる。
【０１７９】
遊技釘８８がシート材１７０に接しない構成とした。仮に、遊技釘８８がシート材１７０に接していると、遊技釘８８と接している部分のシート材１７０に付与された絵柄が視認できなくなることが考えられる。これに対して、本構成によれば、前面体１７１を遊技釘８８が貫通していないために、シート材１７０と遊技釘８８とが接触することがなく、シート材１７０に形成されている絵柄が視認不可能となってしまうことを抑制できる。
【０１８０】
前面体１７１、シート材１７０及び基体１６９を貫通するようにして誘導部１７８が設けられており、入球部に入球した遊技球は誘導部１７８を介して基体１６９の背面側へと誘導される。これにより、入球部に入球した遊技球を遊技領域から排除することが可能となる。また、誘導部によりパチンコ機１０の背面側へと誘導された遊技球は基体１６９によって視認不可となる。これにより、誘導部１７８によって基体１６９の背面側へと誘導された遊技球と、遊技領域にて流れ落ちる遊技球と、を遊技者が区別できなくなることを抑制できる。
【０１８１】
基体１６９の後方に発光体１９０が設けられる構成とした。演出などに使用される発光体１９０を搭載する領域として基体１６９の一部が用いられるため、基体１６９の多機能化が図られる。
【０１８２】
また、発光体１９０は遊技領域の後方において光を照射し、その光は遊技領域を通じてパチンコ機１０の前方から視認される。したがって、遊技者にとっては遊技領域における遊技球の動きと光の演出とを一体的に視認することが可能となり、遊技への注目度が高められる。さらに、遊技釘８８が設けられているため、当該遊技領域に対して発光体１９０を設けることはできず、従来においては上記のような光の演出は困難であったが、本構成によれば、遊技領域の後方において光を照射するため、上記のような光の演出が可能となる。
【０１８３】
また、発光体１９０からの光は開口部１９１を通じてシート材１７０の背面に照射されるため、基体１６９に開口部１９１が設けられておらずその厚み方向に伝搬した後にシート材１７０の背面に光が照射される構成に比べ、シート材１７０の背面に照射される光量を多くすることが可能となる。
【０１８４】
さらに、発光体１９０から発せられた光のシート材１７０への照射範囲に開口部１９１の前側周縁部が含まれる。これにより、開口部１９１における前側周縁部の形状によって発光体１９０からシート材１７０に照射される光の照射範囲が決定される。すなわち、開口部１９１における前側周縁部の形状によってシート材１７０における発光の模様を決定することが可能となる。
【０１８５】
また、遊技釘８８がシート材１７０に接触することがないため、発光体用基板１８０ａ〜１８０ｅが基体１６９の後方に設けられているとしても、発光体１９０が発光した場合に、その発光体１９０から照射された光の輪郭が遊技釘８８と重なってしまい、発光体１９０による発光の模様が遊技釘８８によって視認しにくくなることを抑制できる。
【０１８６】
なお、上述した実施形態の記載内容に限定されず、例えば次のように実施してもよい。
【０１８７】
（１）上記実施形態では、前面体１７１は、透明性を有していたが、シート材１７０に印刷された絵柄等が視認可能ならばよく、例えば、前面体１７１が無色透明ではなく、青色や赤色に着色されている有色透明であってもよいし、半透明であってもよい。
【０１８８】
（２）上記実施形態では、ネジ１８５を用いて、基体１６９と前面体１７１とを固定したが、基体１６９と前面体１７１とを固定する固定手段はネジ１８５に限られることはなく、例えば、釘、ビス等を用いて固定してもよい。但し、前面体１７１を取り外し可能としておくことが望ましい。
【０１８９】
（３）上記実施形態では、ネジ１８５を用いて基体１６９と前面体１７１とを固定したが、ネジ１８５を用いるのではなく内枠等を用いて位置決めを行い、基体１６９と前面体１７１とが一体化されるように固定してもよいし、基体１６９と前面体１７１とを挟持する挟持手段が設けられていてもよい。すなわち、基体１６９と前面体１７１とを固定する方法は限定しない。また、ネジ１８５は、パチンコ機１０の後方側から前方側に向かって取り付けられていたが、パチンコ機１０の前方側から後方側に向かって取り付けられていてもよい。
【０１９０】
（４）上記実施形態では、シート材１７０が粘着材によって基体１６９に貼り付けられていたが、シート材１７０を固定する方法は任意である。
【０１９１】
例えば、シート材１７０が前面体１７１と基体１６９とによって挟持されるものが考えられる。この場合、基体１６９と前面体１７１とによってシート材１７０が挟まれるようにして、基体１６９、シート材１７０及び前面体１７１を重ね合わせ、基体１６９、シート材１７０及び前面体１７１が一体化するように係止爪等を用いて基体１６９と前面体１７１を挟持すればよい。本構成においても、係止爪を取り外すことによって基体１６９とシート材１７０と前面体１７１とを取り外すことが可能となり、基体１６９、シート材１７０及び前面体１７１を交換することが可能となる。
【０１９２】
（５）光透過性がない又は少ない材料によって開口部１９１が形成されていてもよい。開口部１９１に光透過性がない又は少ないことによって、開口部１９１を通過してシート材１７０に照射される光の照射範囲を開口部１９１と一致させることが可能となり、開口部１９１の形状によって発光体１９０が発光した場合のシート材１７０に現れる光の模様を決定する効果を高めることができる。例えば、開口部１９１が光透過性の少ない合成樹脂等によって構成されていれば、開口部１９１よりも広範囲に亘ってシート材１７０に光が照射されることを抑制することができる。
【０１９３】
（６）上記実施形態とは異なる他のタイプの弾球遊技機、例えば他の役物を備えたパチンコ機、アレンジボール機、雀球等の遊技機にも適用できる。
【０１９４】
（７）上記実施形態では、装飾体として、シート材１７０を用いていたが、シート材１７０ではなく、例えば、凹凸を有した又は立体的な役物が着脱可能に設けられていてもよい。この場合、基体１６９に凹部が設けられており、その凹部に役物を設置すればよい。役物は遊技機の機種毎に異なることが多く、機種の変更を行う場合に役物が交換できないとすると、役物が設置されている部品全体を交換する必要が生じる。本構成によれば、役物の交換が可能なため、機種の変更を行う場合に再利用できる部品を増加させることが可能となる。
【０１９５】
（８）上記実施形態では、前面体１７１とシート材１７０とが接していたが、前面体１７１とシート材１７０との間に若干の隙間が設けられていてもよい。
【０１９６】
（９）上記実施形態では、開口部１９１の形状によって発光体１９０が発光した場合のシート材１７０における発光の模様を決定したが、開口部１９１に前端、後端又は内部のいずれかに、光透過部と非光透過部を有した発光模様決定部材が設けられていてもよい。
【０１９７】
本構成によれば、発光体１９０が発光した場合、発光体１９０から照射された光は発光模様決定部材に照射されることとなる。この場合、発光模様決定部材における光透過部に照射された光はパチンコ機１０へと照射されることとなり、発光模様決定部材における非光透過部に照射された光はパチンコ機１０の前方側へと照射されないこととなる。これにより、発光体１９０が発光した場合に、光透過部の形状をした発光の模様をパチンコ機１０の前方から視認することが可能となる。
【０１９８】
（１０）上記実施形態では、基体１６９を木製としたが、合成樹脂製としてもよい。かかる場合、遊技球の回収通路１５１等を一体成形することも可能である。例えば、基体１６９をＡＢＳ樹脂やポリカーボネート樹脂やアクリル樹脂等で成形するとよい。
【０１９９】
（１１）上記実施形態では、開口部１９１を前方から視認した場合、魚の形状をしていたが、かかる構成に限定しない。開口部１９１の形状は、魚には限定されず、例えば、犬や猫でもよい。この場合、基体１６９を製造する場合に開口部１９１の形状を変更すればよい。
【０２００】
（１２）上記実施形態では、基体１６９に設けられた開口部１９１の後方に発光体１９０が位置する構成であったが、発光体１９０が設けられている位置は限定しない。
【０２０１】
発光体１９０が開口部１９１の内部に位置する構成について図２０（ａ）を用いて詳細に説明する。図２０（ａ）は、上記実施形態における図７のＣ−Ｃ線切断部端面図の変形例を示す概略図である。
【０２０２】
なお、発光体用基板１８０ａを用いて詳細に説明するが、以下の構成を発光体用基板１８０ｂ〜１８０ｅに対して適用してもよい。
【０２０３】
本構成では、上記実施形態と異なり、発光体用基板１８０ａからパチンコ機１０の前方側に突出するようにして台２５０が設けられており、台２５０の遊技機前方側に発光体１９０が取り付けられている。
【０２０４】
本構成によれば、発光体１９０を開口部１９１の内部に位置するようにしたため、発光体１９０が発光した場合に、発光体１９０から発せられる光をパチンコ機１０の前方側に集中させることが可能となる。これにより、発光体１９０が発光した場合におけるシート材１７０の前方側から視認される発光の模様をより鮮明なものとすること（明るくすること）が可能となる。
【０２０５】
なお、発光体１９０から発せられる光がパチンコ機１０の前方側に集中可能であればよく、例えば、台２５０が基体１６９や可変表示ユニット８６に取り付けられており、その台２５０に発光体用基板１８０ａ及び発光体１９０が設けられているものが考えられる。
【０２０６】
また、本構成では、発光体用基板１８０ａに台２５０を取り付けることによって、発光体１９０が開口部１９１の内部に位置するよう構成したが、発光体用基板１８０ａが開口部１９１の内部に位置するよう取り付けられていてもよい。
【０２０７】
（１３）上記実施形態では、開口部１９１の形状によって発光体１９０が発光した場合の発光の模様を決定したが、開口部１９１の形状によって発光体１９０の発光の模様を決定しなくともよい。
【０２０８】
この場合について、図２０（ｂ）を用いて詳細に説明する。図２０（ｂ）は、上記実施形態における図７，図１０のＣ−Ｃ線切断部端面図の変形例を示す概略図である。
【０２０９】
なお、発光体用基板１８０ａを用いて詳細に説明するが、以下の構成を発光体用基板１８０ｂ〜１８０ｅに対して適用してもよい。
【０２１０】
図２０（ｂ）では、基体１６９に上記実施形態における開口部１９１とは形状が異なる開口部２５５が設けられている。開口部２５５は基体１６９を正面から視認した場合には円形となっており、基体１６９の前後方向に貫通している。すなわち、開口部２５５は、基体１６９に設けられた円筒状の開口である。また、開口部２５５に嵌まるようにして光を透過させにくい又は透過しにくい合成樹脂によって形成された光規制部材２５６が設けられている。光規制部材２５６は開口部２５５に沿うようにして嵌まっており、光規制部材２５６の前方側はシート材１７０と接するよう構成されている。また、光規制部材２５６は、発光体用基板１８０ａと基体１６９とに挟まれるようにしてネジ２５７によって固定されている。ネジ２５７を取り外すことによって光規制部材２５６を取り外すことができる。
【０２１１】
さらに、光規制部材２５６は、開口部２５８を有している。開口部２５８は、パチンコ機１０の前方側から視認した場合、魚形状となっている。そして、開口部２５８の内部に位置するように発光体１９０が設けられている。光規制部材２５６が光を透過させにくい又は透過しにくい合成樹脂材料で構成されているため、開口部２５８の形状をした光がシート材１７０に照射されることとなる。これにより、発光体１９０が発光した場合には、光規制部材２５６に設けられた開口部２５８より光がパチンコ機１０の前方側に発せられることとなり、魚形状をした光がシート材１７０に映し出されることとなる。
【０２１２】
本構成では、光規制部材２５６の形状によって発光体１９０が発光した場合のシート材１７０における発光の模様を決定し、かつ光規制部材２５６が取り外し可能なため、光規制部材２５６を取り替えることにより、シート材１７０の前方から視認される発光の模様を変更することが可能となる。シート材１７０が遊技機の機種によって異なることが多いのと同様に、発光の模様も遊技機の機種によって異なることが考えられる。光規制部材２５６を交換することによって発光の模様を変化させることができるため、開口部２５５が同位置に設けられた機種に変更する場合に、発光体用基板１８０ａをそのまま使用することが可能となる。
【０２１３】
なお、シート材１７０と光規制部材２５６とは完全に接している必要はなく、シート材１７０と光規制部材２５６との間に若干の隙間が設けられていてもよいし、シート材１７０と光規制部材２５６とが近接していなくともよい。
【０２１４】
（１４）上記実施形態では、基体１６９に設けられた開口部１９１の後方に発光体１９０が位置する構成であったが、開口部１９１が設けられていなくともよい。
【０２１５】
この場合について、図２１（ａ）〜図２１（ｄ）を用いて詳細に説明する。図２１（ａ）〜図２１（ｄ）は、上記実施形態における図７，図１０のＣ−Ｃ線切断部端面図の変形例を示す概略図である。
【０２１６】
なお、発光体用基板１８０ａを用いて詳細に説明するが、以下の構成を発光体用基板１８０ｂ〜１８０ｅに対して適用してもよい。また、詳細な説明は省略するが、図２１（ａ）〜図２１（ｄ）を用いて説明する構成では上記実施形態とは異なり、可変表示ユニット８６と発光体用基板１８０ａとが重なるように設けられていない。
【０２１７】
（１４−１）基体１６９に開口部１９１が設けられていないものについて図２１（ａ）を用いて説明する。また、基体１６９も前面体１７１と同様、光透過性を有する樹脂材料、例えば、アクリル板等で形成されており、透明性を有している。
【０２１８】
また、基体１６９の背面には、周縁部よりも中央側の方が肉薄となるように段差部が形成されている。基体１６９における肉厚となっている部分には遊技盤ユニット８１を樹脂ベース７１に固定するよう背面側から固定具が接している。また、本構成における基体１６９の肉厚部分は上記実施形態における基体１６９の厚みと同様となっている。遊技機は一般的に前後方向の厚みが決まっており、遊技機の遊技領域を形成する遊技盤の厚みも概ね決まっている。本構成では、基体１６９における肉厚部分と、上記実施形態における基体１６９の厚みとを同様とすることによって、基体１６９、シート材１７０及び前面体１７１を遊技盤ユニット８１として一体化した場合における厚みが極端に大きく又は小さくなることを抑制している。よって、一般的な遊技機における遊技盤の代替部材として遊技盤ユニット８１を使用することが可能となる。
【０２１９】
また、基体１６９における厚みが肉薄となっている部分に光規制部材２６０が設けられており、その光規制部材２６０の後方に発光体１９０が設けられている。すなわち、本構成では、上記実施形態における開口部１９１に代わって、発光体１９０の前方に光規制部材２６０が設置されている。光規制部材２６０は、光を透過させにくい又は透過しにくい合成樹脂によって形成されており、内部が空洞となるように設けられている。また、光規制部材２６０は、ネジ２６１によって基体１６９に取り外し可能に固定されている。ネジ２６１を取り外すことによって光規制部材２６０を取り外すことが可能となる。発光体１９０より照射された光は、光規制部材２６０に設けられた空洞を通過し、さらに、光透過性を有した基体１６９を介してパチンコ機１０の前方側に照射されることとなる。また、光規制部材２６０に設けられた空洞は、上記実施形態における開口部１９１と同様、パチンコ機１０の前方側から視認した場合に魚形状となるようになっている。これにより、光規制部材２６０に設けられた空洞を発光体１９０から照射された光が通過することによって、シート材１７０に魚形状をした光が現れることとなる。
【０２２０】
本構成によれば、光規制部材２６０を交換することが可能なため、光規制部材２６０に設けられた空洞の形状を変更することによって、発光体１９０が発光した場合のシート材１７０における発光の模様を変更することが可能となる。これにより、パチンコ機１０の機種を変更する場合等、シート材１７０における発光の模様の変更が望まれる場合にも対応することが可能となる。なお、本構成では、基体１６９はいずれの場所においても光透過性を有しているが、発光体１９０が設置されている箇所の前方側のみ光透過性を有していてもよい。また、発光体１９０の前方に光規制部材２６０が設けられていたが、光規制部材２６０の空洞に発光体１９０が設けられていれば、発光体１９０が発光した場合に光がパチンコ機１０の後方側に拡散してしまうことを抑制し、シート材１７０に照射される光量を多くすることが可能となる。
【０２２１】
仮に基体１６９に開口部が形成された構成においては、シート材１７０において開口部の前方に位置する部位が支持されず、その部位が撓んだり、破損したりする可能性が生じる。これに対して、本構成によれば、発光体１９０からの光をパチンコ機１０の前方に射出するための開口部が基体１６９に形成されていないため、上記のような不都合が生じることはない。また、当該構成であっても、基体１６９及びシート材１７０における少なくとも光規制部材２６０の前方に位置する部位は光透過性を有しており、光規制部によって規制された光が、基体及び装飾体を介して遊技機前方に射出されるため、発光手段からの光の遊技機前方への射出が阻害されることはない。
【０２２２】
（１４−２）上記光規制部材２６０が基体１６９に取り付けられているのではなく、基体１６９の後方側に設けられた取付部２６５に取り付けられていてもよい。かかる構成について図２１（ｂ）を用いて説明する。
【０２２３】
図２１（ｂ）では、図２１（ａ）における基体１６９の後方側に取付部２６５が取り付けられている。なお、取付部２６５は、上記実施形態におけるネジ１８５によって基体１６９に取り付けられている。
【０２２４】
本構成では、発光体用基板１８０ａが取付部２６５の後方側に取付けられている。また、発光体用基板１８０ａの前方側かつ取付部２６５の前方側に発光体１９０が取付けられている。また、取付部２６５の前方側かつ発光体１９０を囲むようにして上述した光規制部材２６０が取り付けられている。具体的には、発光体用基板１８０ａ、取付部２６５を貫通し、光規制部材２６０に到達するようにしてネジ２６１が取り付けられている。これにより、発光体用基板１８０ａ及び光規制部材２６０が取付部２６５に固定されている。本構成においても、発光体１９０から照射された光は、光規制部材２６０の空洞を通過するとともに基体１６９を介してシート材１７０に魚形状をした光が現れることとなる。
【０２２５】
本構成では、基体１６９ではなく、基体１６９の後方に設けられた取付部２６５に発光体用基板１８０ａと光規制部材２６０とが取り外し可能に設けられている。これにより、光規制部材２６０を交換することによってシート材１７０における発光の模様を変更することが可能となる。さらに、取付部２６５と発光体用基板１８０ａと光規制部材２６０とを一体化されたユニットと考えた場合、取付部２６５を交換することによって発光体１９０が発光した場合の発光の模様を変更することが可能となる。この場合、発光の模様を変更する場合に取付部２６５を交換するのみでよいため、基体１６９はそのまま使用することが可能となり、新たに基体１６９を製造する必要がなくなる。
【０２２６】
なお、発光体用基板１８０ａが取付部２６５に取り付けられているものについて説明したが、以上の構成を発光体用基板１８０ｂ〜１８０ｅに対して適用すれば、取付部２６５を取り付けることによって発光体用基板１８０ａ〜１８０ｅを同時に取り付けることが可能となり、パチンコ機１０の組み立て作業を簡易化することが可能となる。また、本構成では、取付部２６５は基体１６９の後方に設けられていたが、基体１６９における発光体１９０が取り付けられている部分の後方において、基体１６９に近接又は当接するようにして取付部２６５が設けられていてもよい。
【０２２７】
（１４−３）発光体用基板１８０ａ及び発光体１９０が取付部２６５に取り付けられており、光規制部材２６０が基体１６９に取り付けられている構成について図２１（ｃ）を用いて説明する。
【０２２８】
本構成では、図２１（ａ）を用いて説明した構成と同様に、光規制部材２６０がネジ２６１によって基体１６９に固定されている。さらに、図２１（ｂ）を用いて説明した構成と同様に、取付部２６５における光規制部材２６０の後方に位置する部分に発光体用基板１８０ａ及び発光体１９０が取り付けられている。すなわち本構成では、発光体用基板１８０ａと光規制部材２６０とが異なる部材に固定されている。発光体用基板１８０ａと発光体１９０とが取付部２６５に集約して設けられていることとなり、取付部２６５を取り外した場合に発光体用基板１８０ａ及び発光体１９０のみがパチンコ機１０から取り外されることとなる。よって、取付部２６５を取り外した場合に光規制部材２６０も取り外されてしまう構成と比して、発光体用基板１８０ａと発光体１９０とのメンテナンスを容易に行うことが可能となる。
【０２２９】
また本構成では、光規制部材２６０が設けられている部分において基体１６９の厚みが小さくなっているともいえる。仮に、光規制部材２６０が設けられている部分における基体１６９の前後方向の厚みが大きいとすると、基体１６９を光が通過している間に拡散してしまい、パチンコ機１０の前方から視認した場合の発光の模様が不鮮明なものとなってしまうことが考えられる。これに対して本構成では、基体１６９における光規制部材２６０が設けられている部分の前後方向の厚みが小さくなっていることによって、パチンコ機１０の前方から視認した場合の発光体１９０の発光の模様が不鮮明なものとなってしまうことを抑制することが可能となる。
【０２３０】
また、説明したいずれかの構成において光規制部材２６０が設けられていなくともよい。但し、この場合、上記実施形態のようにシート材１７０において所定の形状をした発光の模様を現しにくいことが考えられるため、光規制部材２６０を用いた方が望ましい。
【０２３１】
（１４−４）発光体用基板１８０ａは、基体１６９の後方側に取り付けられていたが、発光体用基板１８０ａが取り付けられている位置は限定しない。
【０２３２】
例えば、発光体用基板１８０ａが可変表示ユニット８６と一体化されているものが考えられる。この場合について図２１（ｄ）を用いて説明する。図２１（ｄ）は、上記実施形態における図７，図１０のＣ−Ｃ線切断部端面図の変形例を示す概略図である。
【０２３３】
本構成では、開口部１９１の後方に可変表示ユニット８６が設置されている。また、開口部１９１の後方に位置する可変表示ユニット８６には前後方向に開口した開口部２７１が設けられている。その開口部２７１の後方に位置するようにして上述した発光体用基板１８０ａが取り付けられている。また、発光体用基板１８０ａに発光体１９０が可変表示ユニット８６における開口部２７１から突出するようにして設けられている。具体的には、発光体１９０の後側が発光体用基板１８０ａに固定されており、発光体１９０の前端側が可変表示ユニット８６よりも前方に突出している。すなわち、本構成によれば、可変表示ユニット８６と、発光体用基板１８０ａとが一体化されていることとなる。この場合、可変表示ユニット８６を取り付けることによって同時に発光体用基板１８０ａの取り付けが行えることとなり、パチンコ機１０を組み立てる際に、その組み立て作業を簡易化することが可能となる。
【０２３４】
なお、発光体用基板１８０ａが可変表示ユニット８６に取り付けられているものについて説明したが、以上の構成を発光体用基板１８０ｂ〜１８０ｅに対して適用すれば、上記組み立て作業を簡易化する効果を高めることが可能となる。また、発光体用基板１８０ａ〜１８０ｅが可変表示ユニット８６に設けられている必要はなく、主制御装置ユニット１６０に設けられていてもよい。
【０２３５】
（１５）上記実施形態では、シート材１７０及び前面体１７１は開口部１９１を覆うようにして設けられていたが、開口部１９１の前方部分におけるシート材１７０又は前面体１７１の少なくとも一方に開口が設けられていてもよい。
【０２３６】
また、発光体１９０は、遊技領域の後方に位置するように設けられていたが、発光体１９０が遊技領域の後方に設けられていなくともよく、発光体１９０がシート材１７０よりも後方に設けられていればよい。
【０２３７】
また、この場合、シート材１７０又は前面体１７１の少なくとも一方に開口部が設けられており、その開口部を介して発光体１９０から照射された光が遊技機前方から視認されてもよい。
【０２３８】
（１６）上記実施形態では、開口部１９１は空洞であったが、開口部１９１が設けられておらず、開口部１９１に代わり、光透過性を有した部材が取り付けられていてもよい。
【０２３９】
例えば、光透過性を有した合成樹脂によって構成された光透過部品が設置されていてもよい。
【０２４０】
なお、この場合、光透過部と非光透過部とを光透過部品が有していれば、光透過部によってシート材１７０における発光の模様を決定することもできる。例えば、パチンコ機１０の前方側から視認した場合に、光透過部が魚形状をしていれば、発光体１９０が発光した場合に魚形状をした光がシート材１７０に現れることとなる。
【０２４１】
（１７）上記実施形態ではシート材１７０は全ての部位において光透過性を有していたが、発光体１９０が設けられている部分の前方の少なくとも一部が光透過性を有していればよい。
【０２４２】
（１８）前面体１７１は、発光体１９０が設けられている部分の前方の少なくとも一部が光透過性を有しており、かつ、シート材１７０に印刷されている絵柄等の少なくとも一部が視認可能なように透明又は半透明に形成されていればよい。
【０２４３】
（１９）上記実施形態では、シート材１７０のみを取り外すことが可能であったが、かかる構成に限定しない。すなわち、シート材１７０と基体１６９とが取り外し不可能に一体化されていてもよい。この場合、シート材１７０を取り外す場合には、シート材１７０と基体１６９とを合わせて取り外すこととなる。
【０２４４】
仮に、パチンコ機１０の機種を変更する場合には、遊技釘８８及び一般入賞口８２，可変入賞装置８３，作動口８４，スルーゲート８５及び可変表示ユニット８６等が設けられている開口の位置が同じ機種ならば、前面体１７１をそのまま使用することが可能となる。
【０２４５】
（２０）上記実施形態では、発光体１９０が発光する演出は、特定大当たり用変動パターンコマンドを受信したことに基づいて行われたが、その他の変動パターンコマンドを受信したことに基づいて発光体１９０が発光する演出が行われてもよい。すなわち、非特定変動パターンコマンド又は外れ用変動パターンコマンドを受信した場合に発光体１９０が発光する演出が行われてもよい。
【０２４６】
また、発光体１９０が発光することによる演出は上記実施形態のものに限られることはなく、どのような演出が行われてもよい。例えば、それぞれの発光部分が点滅することで演出を行うものが考えられる。
【０２４７】
（２１）上記実施形態では、主制御装置１６２から音声ランプ制御装置１４３にコマンドが出力されたことに基づいて、表示制御装置３２５が演出や図柄の変動表示を行うよう図柄表示装置９１を制御するものであったが、主制御装置１６２から表示制御装置３２５にコマンドが出力されたことに基づいて、演出や図柄の変動表示が行われてもよい。
【０２４８】
さらに、音声ランプ制御装置１４３と表示制御装置３２５とが同一の装置であり、当該装置に主制御装置１６２からコマンドが出力されることによって演出や図柄の変動表示が行われてもよい。
【０２４９】
（２２）上記実施形態では、遊技釘８８が前面体１７１を貫通しないように取り付けられていたが、遊技釘８８が前面体１７１を貫通し、シート材１７０や基体１６９に接触していてもよい。但し、本構成によれば、遊技釘８８がシート材１７０に接触してしまうことによって、基体１６９及びシート材１７０を取り外す場合に遊技釘８８がその取り外しを阻害することが考えられる。
【０２５０】
また、遊技釘８８が前面体１７１に取り付けられている必要はなく、遊技盤ユニット８１に植設された棒形状のものであり遊技球の落下方向を適宜分散させるものであれば遊技釘８８に限られることはなく、例えば、ネジ等が取り付けられていてもよいし、先端部のみ溝がほってあるものを遊技釘８８として使用してもよい。遊技釘８８の代わりにネジを用いた場合、その取り外しが容易となることが考えられる。さらに、棒形状をしたものだけでなく、遊技釘８８の代わりに合成樹脂等によって形成された突起部等を用いたものも考えられる。この場合、その突起物に遊技球が接触することによって遊技球の落下方向を適宜分散できれば、突起物の形状は任意である。この場合、突起物は、遊技盤ユニット８１に植設されていてもよいし、遊技盤ユニット８１と一体形成されていてもよい。
【０２５１】
さらに、遊技釘８８が前面体１７１の前面側から取り付けられているのではなく、シート材１７０や前面体１７１の裏面側から取り付けられていてもよい。
【０２５２】
前面体１７１の裏面側から遊技釘８８が取り付けられている場合における一実施形態について説明する。図２２は、図７，図１０のＣ−Ｃ線切断部端面図である。なお、図２２では、遊技釘８８と前面体１７１とのみを図示している。
【０２５３】
図２２に示すように、上記実施の形態のように遊技釘８８とシート材１７０とが接触しないように遊技釘８８の後端部が前面体１７１の内部に位置している。この場合、遊技釘８８を取り付けたことによって前面体１７１に形成された開口部３５０において、遊技釘８８とシート材１７０と間に空洞が設けられていればよい。これにより、遊技釘８８とシート材１７０が接触することを抑制し、遊技釘８８によってシート材１７０に付与された絵柄が視認されなくなることを抑制できる。なお、遊技釘８８とシート材１７０とが接触している構成も考えられるが、遊技釘８８が接触しているシート材１７０に付与された絵柄が視認しにくくなることが考えられる。
【０２５４】
（２３）上述した実施形態における構成及び別例における各構成のそれぞれを任意に組み合わせた構成としてもよい。例えば、一の実施形態の構成に対して、その他の実施形態の構成を適用してもよい。また、３パターン以上の実施形態の構成を相互に適用してもよい。
【符号の説明】
【０２５５】
１０…遊技機としてのパチンコ機、１１…外枠、４１…遊技球発射ハンドル、８１…遊技盤ユニット、８２…一般入賞口、８３…可変入賞装置、８４…作動口、８５…スルーゲート、８６…可変表示ユニット、８８…遊技釘、９１…図柄表示装置、１０１，１０２…内，外レール部、１１０…遊技球発射機構、１６９…基体１６９、１７０…シート材、１７１…前面体、１７８…誘導部、１８０ａ〜１８０ｅ…発光体用基板、１８５…ネジ、１９０…発光体、１９１…開口部、２５６…光規制部材、３２５…表示制御装置。
【図１】
2014221209.tif 000003
【図２】
2014221209.tif 000004
【図３】
2014221209.tif 000005
【図４】
2014221209.tif 000006
【図５】
2014221209.tif 000007
【図６】
2014221209.tif 000008
【図７】
2014221209.tif 000009
【図８】
2014221209.tif 000010
【図９】
2014221209.tif 000011
【図１０】
2014221209.tif 000012
【図１１】
2014221209.tif 000013
【図１２】
2014221209.tif 000014
【図１３】
2014221209.tif 000015
【図１４】
2014221209.tif 000016
【図１５】
2014221209.tif 000017
【図１６】
2014221209.tif 000018
【図１７】
2014221209.tif 000019
【図１８】
2014221209.tif 000020
【図１９】
2014221209.tif 000021
【図２０】
2014221209.tif 000022
【図２１】
2014221209.tif 000023
【図２２】
2014221209.tif 000024